(57)【要約】      （修正有）【課題】放熱性能低下、及び重量の増加を抑えることができる照明器具を提供する。【解決手段】照明器具１は、複数の発光素子が実装された光源基板４２と、光源基板４２が下面に取り付けられた板状の高熱伝導性を有する光源基板取付板１０と、光源基板取付板１０を支持し、高熱伝導性を有するアーム６と、を備える。光源基板取付板１０には、光源基板４２が取り付けられた取付部１１を挟む両側の縁部のそれぞれを上方にＬ字状に折曲加工して形成されたアーム結合片１４が設けられており、各アーム結合片１４にアーム６が結合されている。【選択図】図４
2020161387.tif 000002
【特許請求の範囲】
【請求項１】
複数の発光素子が実装された光源基板と、
前記光源基板が下面に取り付けられた板状の高熱伝導性を有する光源基板取付板と、
前記光源基板取付板を支持し、高熱伝導性を有するアームと、
を備え、
前記光源基板取付板には、前記光源基板が取り付けられた取付部を挟む両側の縁部のそれぞれを上方にＬ字状に折曲加工して形成されたアーム結合片が設けられており、各アーム結合片に前記アームが結合されている
ことを特徴とする照明器具。
【請求項２】
前記アーム結合片のそれぞれには、複数の貫通孔部が設けられている、ことを特徴とする請求項１に記載の照明器具。
【請求項３】
前記光源基板取付板は、
前記光源基板が取り付けられた取付部の前後方向の全長よりも、前記アーム結合片の前後方向の最大の長さが短い、ことを特徴とする請求項１または２に記載の照明器具。
【請求項４】
電源基板と、
前記光源基板取付板の上面に固定され、前記電源基板を収めるケースと、を有した電源装置を備え、
前記電源基板が前記ケースの内部の天面に固定されている、
ことを特徴とする請求項１から３のいずれかに記載の照明器具。
【請求項５】
前記電源装置には、いずれの前記アーム結合片にも対向しない位置に、内部に連通した開口部が設けられている、ことを特徴とする請求項４に記載の照明器具。
【発明の詳細な説明】
【技術分野】
【０００１】
本発明は、照明器具に関する。
【背景技術】
【０００２】
器具本体をアームで天井面に支持した照明器具では、器具本体に内設された光源の熱を放熱するために、多数の放熱フィンが器具本体の上面に設けられている（例えば、特許文献１−特許文献５参照）。
【先行技術文献】
【特許文献】
【０００３】
【特許文献１】特開２０１９−２９２１４号公報
【特許文献２】特開２０１８−７７９５７号公報
【特許文献３】特開２０１８−１９５４５９号公報
【特許文献４】特開２０１７−４１３２８号公報
【特許文献５】特開２０１７−２０８３６４号公報
【発明の概要】
【発明が解決しようとする課題】
【０００４】
しかしながら、放熱フィンに埃が堆積すると放熱性能が低下し、また天井面が高い場合には、器具本体の上面の放熱フィンを清掃することは容易ではない。
さらに、器具本体の高さ方向の全長が放熱フィンの分だけ長くなるため、耐振動性を考慮すると、アームの強度を高める必要もあるものの、アームの増強は照明器具の重量を増す要因になってしまう。
【０００５】
本発明は、放熱性能低下、及び重量の増加を抑えることができる照明器具を提供することを目的とする。
【課題を解決するための手段】
【０００６】
本発明は、複数の発光素子が実装された光源基板と、前記光源基板が下面に取り付けられた板状の高熱伝導性を有する光源基板取付板と、前記光源基板取付板を支持し、高熱伝導性を有するアームと、を備え、前記光源基板取付板には、前記光源基板が取り付けられた取付部を挟む両側の縁部のそれぞれを上方にＬ字状に折曲加工して形成されたアーム結合片が設けられており、各アーム結合片に前記アームが結合されていることを特徴とする照明器具を提供する。
【０００７】
本発明は、上記照明器具において、前記アーム結合片のそれぞれには、複数の貫通孔部が設けられている、ことを特徴とする。
【０００８】
本発明は、上記照明器具において、前記光源基板取付板は、前記光源基板が取り付けられた取付部の前後方向の全長よりも、前記アーム結合片の前後方向の最大の長さが短い、ことを特徴とする。
【０００９】
本発明は、上記照明器具において、電源基板と、前記光源基板取付板の上面に固定され、前記電源基板を収めるケースと、を有した電源装置を備え、前記電源基板が前記ケースの内部の天面に固定されている、ことを特徴とする。
【００１０】
本発明は、上記照明器具において、前記電源装置には、いずれの前記アーム結合片にも対向しない位置に、内部に連通した開口部が設けられている、ことを特徴とする。
【発明の効果】
【００１１】
本発明によれば、放熱性能低下、及び重量増加を抑えることができる。
【図面の簡単な説明】
【００１２】
【図１】本発明の実施形態に係る照明器具を斜下方から視た斜視図である。
【図２】照明器具を斜上方から視た斜視図である。
【図３】照明器具の上面図である。
【図４】照明器具の分解図である。
【図５】図３のＶ−Ｖ線断面図である。
【図６】図３のＶＩ−ＶＩ線断面図である。
【図７】照明器具の左側面図である。
【図８】照明器具の前面図である。
【図９】照明器具の背面図である。
【図１０】本発明の第１変形例に係る照明器具の構成を示す図である。
【図１１】本発明の第２変形例に係る照明器具の構成を示す図であり、（Ａ）は底面視正方形の光源部を備える場合を示し、（Ｂ）は底面視長方形の光源部を備える場合を示す。
【図１２】本発明の第３変形例に係る照明器具の構成を示す図である。
【図１３】本発明の第４変形例に係る照明器具の構成を示す図である。
【図１４】本発明の第５変形例に係る照明器具の構成を示す図である。
【図１５】本発明の第６変形例に係る照明器具の構成を示す図である。
【図１６】本発明の第６変形例に係る照明器具の構成を示す図である。
【発明を実施するための形態】
【００１３】
以下、図面を参照して本発明の実施形態について説明する。
図１は本実施形態に係る照明器具１を斜下方から視た斜視図であり、図２は照明器具１を斜上方から視た斜視図である。図３は照明器具１の上面図であり、図４は照明器具１の分解図である。
本実施形態の照明器具１は、高天井などの天井面に設置される天井照明器具である。これらの図に示すように、照明器具１は、器具本体４と、高天井等の天井面に固定され器具本体４を回動自在に支持するアーム６と、器具本体４に電力を供給する電源装置８と、を備える。
図１において、設置状態の照明器具１から視て天井面が位置する方向が紙面上方向であり、この方向を照明器具１の上方向と定義する。また上下左右も含めて照明器具１の方向の定義を図１に示す。
【００１４】
器具本体４は、光源基板取付板１０と、光源部１２と、を有する。
光源基板取付板１０は、図２から図４に示すように、平面視略矩形板状の取付部１１と、一対のアーム結合片１４とを一体に備えている。取付部１１の上面１１Ａには、その中央部に電源装置８が設置されている。取付部１１の下面１１Ｂには、図１に示すように、光源部１２が設けられている。
【００１５】
アーム結合片１４は、取付部１１の両側に設けられており、それぞれのアーム結合片１４には、図４に示すように、２つのプレスナット１６が上下に並んで設けられ、各プレスナット１６にボルト１５を通してアーム６が結合されている。なお、プレスナットは埋込ナットとも呼ばれる。
これらのアーム結合片１４は、光源基板取付板１０において、取付部１１を間に挟む両側の縁部を上方に向けてＬ字状に折曲加工することで当該取付部１１に一体形成されている。一方、取付部１１において、前面側の縁部である先端部１１Ｋ１と、背面側の縁部である後端部１１Ｋ２とは折曲加工されておらず、先端部１１Ｋ１、及び後端部１１Ｋ２から電源装置８の間は凹凸がない平坦面に形成されている。
【００１６】
光源基板取付板１０には、高熱伝導性を有し、かつ所望の剛性を有する板金が用いられており、本実施形態では、厚さが３ｍｍのアルミニウム合金が用いられている。
【００１７】
図５は図３のＶ−Ｖ線断面図であり、図６は図３のＶＩ−ＶＩ線断面図である。
電源装置８は、図６に示すように、光源部１２に供給する電力を生成する電気回路が実装された電源基板２０と、外部電力や照明制御信号を伝送する配線が接続される端子台２１と、これらを収める金属製の電源カバーケース２２と、を備えている。
【００１８】
電源カバーケース２２は、底面全体が開口した無底箱状を成し、この底面側を光源基板取付板１０の側に向けて、取付部１１の上面１１Ａに螺子止め固定されている。
電源基板２０は、電源カバーケース２２の天面２２Ａに絶縁スペースをあけた状態で固定される。この天面２２Ａには底面側に凸状を成す複数のプレスナット２５（図６）が設けられており、各プレスナット２５に電源基板２０を螺子止めすることで、プレスナット２５の凸形状により所定の絶縁スペースが確保される。
図５に示すように、取付部１１には上下に貫通する貫通孔２６が形成されており、電源基板２０から延びる配線が電源カバーケース２２の外を経由することなく、貫通孔２６を通って下面１１Ｂの側に至り、光源部１２に結線される。
【００１９】
本実施形態の電源カバーケース２２は、前掲図４に示すように、ケース本体２７と、端子台カバー２８と、を備える。
【００２０】
ケース本体２７は、無底箱状であり、図６に示すように、左右の側面２９には、その下端部がＬ字状に折曲加工されて、取付部１１に螺子止め固定するための固定片３０が形成されている。またケース本体２７の内部には、左側の側面２９に略平行に端子台取付片３１が設けられている。この端子台取付片３１には、ケース本体２７の天面２２Ａに近い位置に端子台２１が固定される。
【００２１】
本実施形態の照明器具１では、端子台取付片３１は、ケース本体２７の内部における前面３２の側、及び背面３３（図７参照）の側の２箇所に設けられている。一方の端子台取付片３１には、自身の電源装置８への入力用の端子台２１が固定され、他方の端子台取付片３１には、調光用制御線用の端子台２１が固定される。なお、調光などの光制御が不要な場合は、他方の端子台２１を備えなくてもよい。
【００２２】
本実施形態のケース本体２７では、端子台取付片３１は、前面３２、及び背面３３の各左端部をケース本体２７の内側に向けてＬ字状に折り曲げて形成されることで、前面３２、及び背面３３のそれぞれの左端部に開口部３４（図８、図９参照）が形成される。これらの開口部３４を通じてケース本体２７の熱が外部に良好に放熱されるようになっている。また、図４および図６に示すように、前面３２、及び背面３３の各々の開口部３４は連通しており、ケース本体２７の内部に、前後方向に延びる貫通路Ａ（図６参照）が形成されている。
【００２３】
端子台カバー２８は、前掲図４および図６に示すように、ケース本体２７の左側の側面２９に支点ネジ２８Ａによって、矢印Ｂの方向に回転自在に螺子止め固定される。なお、図７に破線で示すように、支点ネジ２８Ａの頭が側面視でアーム結合片１４に隠れることなく完全に見えるように、アーム結合片１４の一部に切欠き１４Ａを設けてもよい。切欠き１４Ａを設けることで、照明器具１の設置時に作業者が支点ネジ２８Ａを締め込んで端子台カバー２８の回転を抑える際に、スクリュードライバーによるネジ締め作業が容易になる。
【００２４】
端子台カバー２８は、開口部３４の側方、及び上方の両方を覆うことで端子台２１を覆い隠し、なおかつ、開口部３４の前面側（背面側）を開放することで、ケース本体２７の内部の通気性が確保されるようになっている。また、いずれの開口部３４も器具本体４の前後に面しており、いずれのアーム結合片１４にも対面しない位置に設けられているため、十分な通気性が確保される。
【００２５】
光源部１２は、発光素子を光源として照明するものであり、図５、及び図６に示すように、発光素子の一例である複数のＬＥＤ４０が実装された光源基板４２と、この光源基板４２を覆うカバー部材である前面グローブ４４とを備えている。
光源基板４２は、熱伝導性に優れた略矩形板状の金属基板であり、熱伝導性に優れた絶縁シートを間に挟んで光源基板取付板１０の取付部１１の下面１１Ｂに全面が接触した状態で螺子止め固定される。この取付部１１の下面１１Ｂには、光源基板４２を位置決めする適宜の数のハーフピアス（ダボとも呼ばれる）が設けられている。
【００２６】
光源基板４２には、図４に示すように、取付部１１の貫通孔２６に連通する位置に配線孔４３が開口し、電源基板２０から延びる配線が配線孔４３を通って光源基板４２の実装面側に引き出され、当該光源基板４２に結線される。これら貫通孔２６、及び配線孔４３には電線の被覆を保護するために適宜のブッシュが嵌め込まれている。なお、ブッシュには、貫通孔を密閉できるものを使用するのが好ましい。また、光源基板４２には樹脂基板を用いてもよい。光源基板４２に樹脂基板が用いられる場合、放熱シートではなく放熱グリースを介して光源基板取付板１０の下面１１Ｂに光源基板４２を取り付けてもよい。
【００２７】
光源基板４２の実装面には多数のＬＥＤ４０が配置されており、対向する前面グローブ４４に各ＬＥＤ４０から光が入射される。各ＬＥＤ４０が放射する光の色（波長）は適宜であり、本実施形態では白色光が用いられている。
また各ＬＥＤ４０は、光源基板４２の実装面において、その中央を含む所定範囲を避けて配置されている。
【００２８】
前面グローブ４４は、光源基板４２を覆う無天面状の薄い箱型を成し、透光性を有する樹脂材やガラス材等から形成され、取付部１１の下面１１Ｂに螺子止め固定されている。この前面グローブ４４は、その表面全体が乳白色を呈し、光源部１２の光を透過の際に散乱させることで、照度ムラや前面グローブに映るＬＥＤ４０の輝点を目立たなくするようになっている。
【００２９】
アーム６は、前掲図４に示すように、高熱伝導性を有する材料を略コ字状に形成して成る部材であり、互いに平行に延びる一対の支持バー部５０と、これら支持バー部５０に対して垂直に延び、支持バー部５０の上端部５０Ａ同士を連結する連結バー部５１とを一体に備える。
【００３０】
連結バー部５１には、複数の固定孔５２が設けられており、適宜の固定孔５２にボルトを通して天井面（設置面）に固定される。また、各支持バー部５０の下端部５０Ｂの側には、締結孔５３と、この締結孔５３を中心した円弧状の長孔である円弧孔５４と、が設けられている。アーム６は、これら締結孔５３、及び円弧孔５４にボルト１５を通し、光源基板取付板１０のアーム結合片１４に固定される。固定の際には、締結孔５３を支点として円弧孔５４の長孔の範囲で光源基板取付板１０を回転させることで、光源基板取付板１０が所望の角度で固定される。
支持バー部５０には、照度センサなどの各種センサや通信機器などの適宜の機器を固定してもよい。
【００３１】
照明器具１にあっては、器具本体４の上面１１Ａに、従前の一般的な高天井照明器具が備える放熱フィンが設けられておらず、かかる放熱フィンを設けずともＬＥＤ４０の発熱が効率良く放熱されるようになっている。
詳述すると、ＬＥＤ４０の発熱は、光源基板４２を介して光源基板取付板１０に伝えられる。図１、及び図２に示すように、光源基板取付板１０の取付部１１の上面１１Ａと、その両側のアーム結合片１４とが外部に露出しており、これら上面１１Ａ、及びアーム結合片１４からＬＥＤ４０の発熱が外部に放熱される。
【００３２】
上述の通り、各アーム結合片１４は、光源基板取付板１０において、取付部１１を間に挟む両側の縁部を折曲加工して一体成形されている。従来の照明器具では取付部１１とアーム結合片１４とが別部材で構成されており、両者間の接触抵抗によって伝わる熱量が減少していた。本実施形態のアーム結合片１４は、その厚みが約３ｍｍであり、熱伝導経路として十分な断面積を確保できるので、取付部１１の上面１１Ａと各アーム結合片１４との間の熱抵抗が小さくなり、大量の熱を速やかにアーム結合片１４の端部まで伝えることができる。
これにより、取付部１１の上面１１Ａに別途に放熱フィンを設けずとも、良好な放熱性能が得られる。また放熱フィンが不要になるので器具本体４を軽くできる。
【００３３】
本実施形態の照明器具１では、上述したように、アーム６が高熱伝導性の材料から形成されており、アーム結合片１４から熱がアーム６に伝わって当該アーム６の全体からも熱が放熱され、放熱性能がより高められている。またアーム６の各支持バー部５０の下端部５０Ｂは、図６に示すように、面接触した状態でアーム結合片１４に直接的に（別の部材を何ら介在させずに）固定されている。これにより、アーム結合片１４とアーム６との間の熱抵抗が抑えられ、アーム６からの放熱量が高められているので、より高い放熱性能が実現されている。
本実施形態では、アーム６には、ＳＰＣＣ（冷間圧延鋼板）から成る厚さが約２ｍｍの部材が用いられている。
【００３４】
図７は照明器具１の左側面図であり、図８は照明器具１の前面図、図９は照明器具１の背面図である。
アーム結合片１４は、図８に示すように、その最大高さＨａｍａｘが電源装置８の高さＨｂと略同じ高さ、或いは、電源装置８の高さＨｂよりも数ミリメートル程度僅かに低く形成されている。
電源装置８の内部空間には、電源基板２０や端子台２１が備える各種の部品の温度が規定温度範囲に収められる広さを要し、さらに電源基板２０と電源カバーケース２２、及び取付部１１の上面１１Ａとの絶縁距離を確保する必要があり、本実施形態の電源装置８（電源カバーケース２２）の高さＨｂは、これらを満足する最小限の高さに設定されている。
アーム結合片１４の最大高さＨａｍａｘを、かかる電源装置８の高さＨｂと同程度とすることで、上面１１Ａから上方への器具本体４の突出量を、電源装置８の高さＨｂに抑えることができ、また、その突出量の制限内でアーム結合片１４による放熱効果を最大にできる。
【００３５】
また図８に示すように、電源装置８（電源カバーケース２２）からアーム６の連結バー部５１までの距離Ｍは、電源装置８の高さＨｂよりも大きく、アーム６の設置面である天井面と、電源装置８との間に十分なスペースが確保されるようになっている。電源カバーケース２２内における電源基板２０の位置は、電源装置８の高さＨｂの半分より上にあることが好ましい。
【００３６】
本実施形態では、電源装置８の高さＨｂは６３ｍｍであり、距離Ｍは１００ｍｍである。またアーム結合片１４の最大高さＨａｍａｘは６２ｍｍである。
【００３７】
本実施形態の各アーム結合片１４は、図７に示すように、器具本体４の中央部に頂点（最大高さＨａｍａｘ）を有した略三角形状（本実施形態では略二等辺三角形状）に成されている。本明細書において、略三角形状とは三角形の各頂点を面取りした形状を指す。
また光源基板取付板１０においては、取付部１１の前後方向の全長Ｌｂよりも、各アーム結合片１４の前後方向の最大長Ｌａが短くなっている。このように構成することで、取付部１１の四方の角に丸みを付けることができる。これにより、照明器具の搬送や取付時に人の手が取付部１１の角に触れても問題が無い。本実施形態において、最大長Ｌａは、アーム結合片１４の底辺の長さ、すなわち取付部１１とアーム結合片１４の接続部分の長さに相当し、この最大長Ｌａは、取付部１１の全長Ｌｂの約６５％から９０％の範囲となっている。
【００３８】
各アーム結合片１４には、表裏に貫通する複数の貫通孔部６１が形成されており、通気性を確保している。貫通孔部６１は、アーム結合片１４の放熱フィンとしての放熱面積やアーム結合部材としての強度を考慮して、外周から１０〜２０ｍｍ程度の幅を設けて設けられている。本実施形態では、アーム結合片１４のそれぞれには、その側面積に占める各貫通孔部６１の総開口面積の割合（開口率）が、約１０％から約２０％程度になっている。アーム結合片１４の剛性は器具自体の耐震性にもかかわるため、通気や軽量化を目指すあまりアーム結合片１４の肉厚（板の厚み）が薄くなってはいけない。また貫通孔部６１には落下防止ワイヤーを通すこともできる。
【００３９】
このように、アーム結合片１４が略三角形状に形成され、その最大長Ｌａが取付部１１の全長Ｌｂよりも短くされ、複数の貫通孔部６１が設けられることでアーム結合片１４を軽量化できる。
【００４０】
またアーム結合片１４の貫通孔部６１によって、器具本体４の左右方向の通気性が高められるので、一対のアーム結合片１４の間に存在する上面１１Ａ、及び電源装置８の放熱性能が高められる。各貫通孔部６１は、側面視において、器具本体４の中央部に近いほど上下に拡がることで開口面積が大きくなっているので、中央部に配置された電源装置８とアーム結合片１４との間の通気性を十分に確保することができる。
なお、各貫通孔部６１は、例えば落下防止ワイヤーや、前面グローブ４４を保護するガード部材といった適宜の部材の固定に用いてもよい。
【００４１】
アーム結合片１４の側面積や、各貫通孔部６１の総開口面積、最大長Ｌａ、取付部１１の全長Ｌｂ、取付部１１の上面１１Ａの面積といった各種パラメータは、要求される放熱性能に応じて、光源部１２の光出力ごとに最適化できる。
【００４２】
本実施形態によれば、次の効果を奏する。
【００４３】
本実施形態の照明器具１では、光源基板取付板１０には、光源基板４２が取り付けられた取付部１１を挟む両側の縁部のそれぞれを上方にＬ字状に折曲加工して形成されたアーム結合片１４が設けられており、各アーム結合片１４にアーム６が結合されている。
【００４４】
この照明器具１によれば、光源基板４２を介して光源基板取付板１０に伝えられたＬＥＤ４０の発熱を、取付部１１の上面１１Ａと、その両側のアーム結合片１４とから外部に放熱できる。また各アーム結合片１４は、取付部１１に折曲加工によって一体成形されているので、取付部１１の上面１１Ａと各アーム結合片１４との間の熱抵抗が小さくなり、光源基板４２から取付部１１に伝わった熱が各アーム結合片１４まで熱伝導によって直接スムーズに伝えられ、効率良く放熱できる。
これにより、取付部１１の上面１１Ａに、埃の堆積等によって放熱性能が低下する放熱フィンを別途に設けずとも、良好な放熱性能を実現できる。また放熱フィンが不要になることで器具本体４を軽くできる。
【００４５】
従来の高天井照明器具では、アームが取り付けられている筐体の箇所ではＬＥＤからの伝熱による温度上昇はほとんどない。すなわち従来の高天井照明器具では、アームおよびアーム取付部材は照明器具の放熱に寄与していない。一方、本実施形態の照明器具１では、点灯中にアーム結合片１４およびアーム６の温度上昇が確認されており、このことからアーム結合片１４およびアーム６が照明器具１の放熱に寄与していることがわかる。
【００４６】
本実施形態の照明器具１では、アーム結合片１４のそれぞれには、複数の貫通孔部６１が設けられているので、器具本体４の軽量化を図ることができ、また器具本体４の左右方向の通気性を確保できる。また、例えば落下防止ワイヤーや、前面グローブ４４を保護するガード部材といった適宜の部材の固定にも用いることができる。
【００４７】
本実施形態の照明器具１では、光源基板取付板１０は、取付部１１の前後方向の全長Ｌｂよりも、アーム結合片１４の前後方向の最大長Ｌａが短いので、器具本体４の重量を、より軽くできる。
【００４８】
本実施形態の照明器具１では、アーム結合片１４のそれぞれは、略三角形状であるので、最大高さＨａｍａｘが同じ側面視矩形状である場合に比べ、器具本体４の重量を、より軽くできる。
【００４９】
本実施形態の照明器具１では、アーム６がアーム結合片１４に面接触しているので、アーム結合片１４から熱がアーム６にスムーズに伝わって当該アーム６の全体からも熱を効率良く放熱し、より高い放熱性能を実現することができる。
【００５０】
本実施形態の照明器具１では、アーム結合片１４の最大高さＨａｍａｘが、取付部１１の上面１１Ａに設けられた電源装置８の高さＨｂ以下なので、上面１１Ａから上方への器具本体４の突出量を、電源装置８の高さＨｂに抑えることができる。
【００５１】
本実施形態の照明器具１では、電源装置８において、電源基板２０が電源カバーケース２２の内部の天面２２Ａに固定されているので、取付部１１との絶縁を図ることができ、また電源基板２０の発熱が取付部１１に与える影響も抑えられる。
【００５２】
本実施形態の照明器具１では、電源装置８には、アーム結合片１４のそれぞれに対向しない位置に、内部に連通した開口部３４が設けられているので、良好な通気性を確保できる。
【００５３】
上述した実施形態は、あくまでも本発明の一態様を例示したものであって、本発明の主旨を逸脱しない範囲で任意に変形、及び応用が可能である。
【００５４】
（変形例１）
上述した実施形態では、底面視長方形の光源部１２を構成したが、図１０に示す照明器具１００のように、底面視略正方形の光源部１１２を構成してもよい。この場合、光源基板取付板１０の取付部１１も、光源部１１２に合わせて底面視正方形としてもよい。底面視長方形の光源部１２（光源基板４２）の長手方向を短縮した設計によって、底面視正方形の光源部１１２を得ることで、照明器具１よりも低光出力の照明器具１００を簡単に実現できる。
【００５５】
（変形例２）
光源基板取付板１０の下面１１Ｂに複数の光源部１２を設けてもよい。例えば図１１（Ａ）に示す照明器具２００のように、図１０に示した底面視正方形の２つの光源部１１２を、光源基板取付板１０の下面１１Ｂに並べて設けてもよい。また例えば、図１１（Ｂ）に示す照明器具３００のように、上述した実施形態の照明器具１が備える光源部１２を、光源基板取付板１０の下面１１Ｂに２つ並べて設けてもよい。
複数の光源部１２、１１２を並べることで、照明器具１よりも大きな光出力の照明器具２００、３００を簡単に実現できる。
【００５６】
（変形例３）
光源基板取付板１０に複数の光源部１２、１１２を設けた場合、図１２に示す照明器具４００のように、光源部１２、１１２ごとに電源装置８を光源基板取付板１０の上面１１Ａに並べて設けてもよい。この場合、２つの電源装置８の間に連結部材４８０を設け、電源装置８の相対位置固定と配線カバーの役割を兼用させることもできる。また複数の電源カバーケース２２を設けた照明器具４００では、器具の組立時に貫通路Ａを通して２つの電源カバーケース２２の端子台２１の間に給電線を配線しておくことができる。調光用制御線についても同様に内部配線しておくことができる。
【００５７】
（変形例４）
図１３に示す照明器具５００のように、光源部１２を保護するガード部材５８５を備えてもよい。それぞれのアーム結合片１４に支持片５８６を固定し、各支持片５８６でガード部材５８５を支持してもよい。各支持片５８６をアーム６と同様に高熱伝導性材から形成することで、より放熱性能を高めることができる。
【００５８】
（変形例５）
図１４に示す照明器具６００のように、光源基板取付板１０の取付部１１の上面１１Ａから浮かせた状態（隙間を設けた状態）で電源装置８を設け、取付部１１と電源装置８との間にスペースＱを設けてもよい。これにより、取付部１１の上面１１Ａの放熱性が向上し、より高い放熱性能を実現できる。
【００５９】
（変形例６）
照明器具１の光出力が比較的小さい場合や、ＬＥＤ４０の発光効率が高く取付部面積のわりに発生熱量が小さい場合などには、アーム結合片１４の面積をさらに小さくすることが可能である。
具体的には、図１５、及び図１６に示すように、アーム結合片１４の立ち上がり部９０の幅はアーム結合片１４の前後方向の最大長Ｌａであり、取付部１１の前後方向の全長Ｌｂの６５％以上を約１０ｍｍの高さだけ確保している。立ち上がり部９０より上側のアーム結合部９１の幅Ｌｃは、アーム６とほぼ同じ寸法の矩形形状にしてよい。
ただし、この立ち上がり部９０とアーム結合部９１との境界は単純に９０度の角部とするのではなく、応力集中を緩和するために、斜面または丸みを付けた凹曲面などの繋ぎ領域９２を設けるのが好ましい。これらの繋ぎ領域９２の寸法は、斜面を設けた場合にはアーム結合片１４を横方向から見た時の仮想三角形の１辺が少なくとも１０ｍｍ以上になるように設定するのがよい。例えば図１５の照明器具７００においては、仮想三角形の垂直方向寸法が１０ｍｍ、水平方向が１７．３ｍｍとなっている。凹曲面の場合には、アーム結合片１４を横方向から見た時の仮想円弧の半径が１０ｍｍ以上となることが好ましい。例えば図１６の照明器具８００においては、半径１０ｍｍの丸みを設けている。
これらの構成を採用した場合には、アーム結合片１４は略三角形状とは言えなくなるが、取付部１１から折曲加工して形成された下辺の寸法より、アーム結合部９１の上辺の寸法のほうが短い形状であることは共通している。このような形状であれば、光源基板取付板１０において取付部１１から伝達される熱量を熱伝導によってアーム結合片１４に伝えることができ、かつ照明器具をアーム６によって天井に設置しても安定した取付状態を保つことができる。
【００６０】
（他の変形例）
電源装置８を照明器具１とは別に設けてもよい。
照明器具１を、天井面に限らず、壁面に設置してもよい。
光源基板取付板１０、及びアーム６の素材には、光源部１２の放熱に要する高熱伝導性を有し、必要な剛性を実現可能な任意の合金、或いは金属を用いることができる。
上述した実施形態において、水平、及び垂直等の方向、各種の数値、及び形状は、特段の断りがなされていない限り、これらの方向、及び数値の周辺の範囲、並びに近似の形状を意識的に除外するものではなく、同一の作用効果を奏し、また数値にあっては臨界的意義を逸脱しない限りにおいて、その周辺の範囲、並びに近似の形状（いわゆる、均等の範囲）を含む。
【符号の説明】
【００６１】
１、２００、３００、４００、５００、６００、７００、８００  照明器具
４  器具本体
６  アーム
８  電源装置
１０  光源基板取付板
１１  取付部
１２、１１２  光源部
１４  アーム結合片
２０  電源基板
２２  電源カバーケース
２２Ａ  天面
３４  開口部
４０  ＬＥＤ（発光素子）
４２  光源基板
６１  貫通孔部
Ｈａｍａｘ  アーム結合片の最大高さ
Ｈｂ  電源装置の高さ
Ｌａ  アーム結合片の最大長
Ｌｂ  取付部の全長
Ｍ  距離
【図１】
2020161387.tif 000003
【図２】
2020161387.tif 000004
【図３】
2020161387.tif 000005
【図４】
2020161387.tif 000006
【図５】
2020161387.tif 000007
【図６】
2020161387.tif 000008
【図７】
2020161387.tif 000009
【図８】
2020161387.tif 000010
【図９】
2020161387.tif 000011
【図１０】
2020161387.tif 000012
【図１１】
2020161387.tif 000013
【図１２】
2020161387.tif 000014
【図１３】
2020161387.tif 000015
【図１４】
2020161387.tif 000016
【図１５】
2020161387.tif 000017
【図１６】
2020161387.tif 000018